(57)【要約】【課題】  コーティング剤などにより特定の表面処理を施した場合とそうでない場合とにおける表面性状の比較評価を容易に且つ安価に実施可能な表面評価具及び表面評価方法を提供する。【解決手段】  特定の表面処理を施したサンプル板３Ｌと、表面処理を施していないサンプル板３Ｒとを併設し、両サンプル板３Ｌ、３Ｒに対して擦り付け可能なシート体４を設け、サンプル板３Ｌ、３Ｒに対するシート体４の滑り具合によって、両サンプル板３Ｌ、３Ｒの表面性状を比較評価可能となした。【選択図】        図１
2006312354.tif 000002
【特許請求の範囲】
【請求項１】
特定の表面処理を施した表面処理部と、特定の表面処理を施していない比較部とを設け、表面処理部及び比較部に対して擦り付け可能なシート体を設け、表面処理部と比較部とに対するシート体の滑り具合によって、表面処理部と比較部との表面性状を比較評価可能となしたことを特徴とする表面評価具。
【請求項２】
前記表面処理部と比較部とを別個のサンプル板の表面部に形成した請求項１記載の表面評価具。
【請求項３】
前記表面処理部及び比較部をそれぞれ覆うように、前記シート体を表面処理部及び比較部の前側にそれぞれ吊り下げて設けた請求項１又は２記載の表面評価具。
【請求項４】
前記表面処理部及び比較部の少なくとも一部が外部に露出するように、前記シート体を表面処理部及び比較部の前側にそれぞれ吊り下げて設けた請求項１〜３のいずれか１項記載の表面評価具。
【請求項５】
前記表面処理が、自動車の外板に対してなされるコーティング処理である請求項１〜４のいずれか１項記載の表面評価具。
【請求項６】
特定の表面処理を施した表面処理部と特定の表面処理を施していない比較部とに対してシート体をそれぞれ擦り付けて、表面処理部と比較部とに対するシート体の滑り具合によって、表面処理部と比較部との表面性状を比較評価するたことを特徴とする表面評価方法。
【請求項７】
前記表面処理部及び比較部をそれぞれ覆うように、前記シート体を表面処理部及び比較部の前側にそれぞれ吊り下げて設け、指でシート体を表面処理部又は比較部に押し付けながら、指とともにシート体をスライドさせて、表面処理部と比較部とに対するシート体の滑り具合によって、表面処理部と比較部との表面性状を比較評価する請求項６記載の表面評価方法。
【発明の詳細な説明】
【技術分野】
【０００１】
本発明は、コーティング剤などにより特定の表面処理を施した場合と、そうでない場合とにおける表面性状の比較評価を容易に且つ安価に実施可能な表面評価具及び表面評価方法に関するものである。
【背景技術】
【０００２】
商品購入時の判断基準を利用者に提供するため、商品見本を用いることが広く実施されている。例えば、毛髪化粧料においては、それを使用することにより、毛髪の色が実際にどのように変化するのかを示す毛束見本を毛髪化粧料の近くに陳列している（例えば、特許文献１参照。）。
【０００３】
また、自動車用のワックスやコーティング剤等の商品においては、使用前と使用後とにおける撥水性を視覚的に訴えるため、使用前後における水切れ状態を示す写真を商品近くに展示することも広く実施されている。
【０００４】
【特許文献１】特開２００３−３８３１６号公報
【発明の開示】
【発明が解決しようとする課題】
【０００５】
コーティング剤やワックスなどの商品評価をするために、水切れ状態を示す写真を展示することは有効である。しかし、本出願人は、単に写真を展示するだけでなく、サンプル品を用いた、よりインパクトのある展示方法の可能性について鋭意検討した。ところが、コーティング剤やワックスなどによる表面処理は、光沢や触った感じだけでは十分にその効果を知ることができず、表面処理を施したサンプル品と表面処理を施していないサンプル品を単に並べて展示しただけでは、商品購入の判断材料としては十分な効果が得られないことが判った。そこで、更に鋭意検討を重ね、サンプル品を不織布で擦ると、その滑り具合によって表面処理の有無を明確に判別できることを見出し、本発明を完成するに至った。
【０００６】
本発明の目的は、コーティング剤などにより特定の表面処理を施した場合とそうでない場合とにおける表面性状の比較評価を容易に且つ安価に実施可能な表面評価具及び表面評価方法を提供することである。
【課題を解決するための手段】
【０００７】
本発明に係る表面評価具は、特定の表面処理を施した表面処理部と、特定の表面処理を施していない比較部とを設け、表面処理部及び比較部に対して擦り付け可能なシート体を設け、表面処理部と比較部とに対するシート体の滑り具合によって、表面処理部と比較部との表面性状を比較評価可能となしたものである。
【０００８】
この表面評価具では、シート体を表面処理部に擦り付けた場合と、比較部に擦り付けた場合とで、シート体の滑り具合が全く異なることから、表面処理部の表面性状が比較部よりも滑らかであることを明確に評価できる。しかも、表面処理部と比較部とをシート体で擦るので、利用者の手指の汗や油が表面処理部や比較部に付着することを防止して、汗や油による評価結果の変動を防止して、安定的な評価が可能となる。尚、本明細書において、特定の表面処理を施していない比較部とは、何ら表面処理剤で表面処理していない部分、または特定のコーティング剤以外の表面処理剤で表面処理した部分を意味する。また、比較部として、表面処理していない比較部と、特定のコーティング剤以外の表面処理剤で表面処理した１乃至複数の比較部とを任意に組み合わせて設けることも可能である。
【０００９】
ここで、前記表面処理部と比較部とを別個のサンプル板の表面部に形成すること、前記表面処理部及び比較部をそれぞれ覆うように、前記シート体を表面処理部及び比較部の前側にそれぞれ吊り下げて設けること、前記表面処理部及び比較部の少なくとも一部が外部に露出するように、前記シート体を表面処理部及び比較部の前側にそれぞれ吊り下げて設けること、前記表面処理が、自動車の外板に対してなされるコーティング処理であること、などが好ましい実施の形態である。
【００１０】
本発明に係る表面評価方法は、特定の表面処理を施した表面処理部と特定の表面処理を施していない比較部とに対してシート体をそれぞれ擦り付けて、表面処理部と比較部とに対するシート体の滑り具合によって、表面処理部と比較部との表面性状を比較評価するものである。
【００１１】
この表面評価方法では、シート体を表面処理部に擦り付けた場合と、比較部に擦り付けた場合とで、シート体の滑り具合が全く異なることから、表面処理部の表面性状が比較部よりも滑らかであることを明確に評価できる。しかも、表面処理部と比較部とをシート体で擦るので、利用者の手指の汗や油が表面処理部や比較部に付着することを防止して、汗や油による評価結果の変動を防止して、安定的な評価が可能となる。
【００１２】
ここで、前記表面処理部及び比較部をそれぞれ覆うように、前記シート体を表面処理部及び比較部の前側にそれぞれ吊り下げて設け、指でシート体を表面処理部又は比較部に押し付けながら、指とともにシート体をスライドさせて、表面処理部と比較部とに対するシート体の滑り具合によって、表面処理部と比較部との表面性状を比較評価すること、が好ましい実施の形態である。
【発明の効果】
【００１３】
本発明に係る表面評価具及び表面評価方法によれば、シート体を表面処理部に擦り付けた場合と、比較部に擦り付けた場合とで、シート体の滑り具合が全く異なることから、表面処理部の表面性状が比較部よりも滑らかであることを明確に評価できる。しかも、表面処理部と比較部とをシート体で擦るので、利用者の手指の汗や油が表面処理部や比較部に付着することを防止して、汗や油による評価結果の変動を防止して、安定的な評価が可能となる。また、シート体で表面処理部と比較部とを擦るだけなので、安価に実施することができる。
【００１４】
ここで、前記表面評価具において、表面処理部と比較部とは１枚のサンプル板の表面部に並べて形成することも可能であるが、前記表面処理部と比較部とを別個のサンプル板の表面部に形成すると、表面処理部と比較部とを明確に区別できるので好ましい。
【００１５】
前記表面処理部及び比較部をそれぞれ覆うように、前記シート体を表面処理部及び比較部の前側にそれぞれ吊り下げて設けると、表面処理部又は比較部側へシート体を指で押し付けながら、そのまま指とともにシート体を移動させることで、シート体の滑り具合を容易に把握することができる。
【００１６】
前記表面処理部及び比較部の少なくとも一部が外部に露出するように、前記シート体を表面処理部及び比較部の前側にそれぞれ吊り下げて設けると、シート体を持ち上げたりすることなく、表面処理部と比較部の表面性状を目視にて観察することが可能となる。
【００１７】
自動車の外板に対してなされるコーティング剤を評価するための秤として、コーティング処理を施す前後の水切状態を示す写真が用いられていたが、本発明では、それ以外にシート材の滑りによってもコーティング処理を評価できるので、商品購入のための判断材料を増やすことができる。
【００１８】
ここで、前記表面評価方法において、表面処理部及び比較部をそれぞれ覆うように、前記シート体を表面処理部及び比較部の前側にそれぞれ吊り下げて設け、指でシート体を表面処理部又は比較部に押し付けながら、指とともにシート体をスライドさせて、表面処理部と比較部とに対するシート体の滑り具合によって、表面処理部と比較部との表面性状を比較評価すると、簡単な操作で容易に表面処理の評価をすることが可能となる。
【発明を実施するための最良の形態】
【００１９】
以下、本発明の実施の形態について図面を参照しながら説明する。
図１に示すように、表面評価具１は、ベース板２と、ベース板２の前側に設けた左右１対のサンプル板３Ｌ、３Ｒと、左右のサンプル板３Ｌ、３Ｒを覆うように設けた１枚のシート体４とを備え、図２に示すように、サンプル板３Ｌ、３Ｒに対してシート体４を指で押し付けた状態で、これを例えば上下に移動させることで、サンプル板３Ｌ、３Ｒにシート体４を擦り付けて、シート体４の滑り抵抗からシート体４の表面性状を評価できるように構成したものである。
【００２０】
ベース板２としては、合成樹脂板、発泡樹脂板、厚紙、合板など任意の素材からなるものを採用できる。ベース板２の形状は、本実施の形態では長方形板状のものを採用したが、正方形状や円形やハート型など任意の形状のものを採用できる。
【００２１】
サンプル板３Ｌ、３Ｒは、自動車の外板と同様に、鉄板やアルミニウム板や合成樹脂板などの表面にプライマー塗装、上塗り塗装などの塗膜層を形成したもので、一方のサンプル板３Ｌの全表面には、特定の表面処理として、４フッ化エチレン樹脂などからなるコーティング剤などの表面保護剤をコートした表面処理部が形成され、他方のサンプル板３Ｒには全表面には表面保護剤をコートしていないで、塗膜層がそのまま露出した比較部が形成されている。但し、表面保護剤としては、その他の組成のものを採用することが可能である。また、特定の表面処理として、コーティング剤に代えて、ワックス等を表面処理剤として塗布して表面処理部を形成し、ワックス等による表面性状の変化を評価することもできる。更に、サンプル板３Ｒに、特定の表面処理を施すための表面処理剤以外の表面処理剤をコートして、特定の表面処理を施すための表面保護剤とそれ以外の表面保護剤とを比較評価できるようにしてもよし、表面処理していないサンプル板と、特定の表面処理を施すための表面処理剤以外の表面処理剤で表面処理した１乃至複数枚のサンプル板とを任意に組み合わせて、評価対象の表面処理剤で表面処理したサンプル板３Ｌとともに併設してもよい。
【００２２】
両サンプル板３Ｌ、３Ｒは、鉄板側をベース板２側にして、接着剤でベース板２に取り付けられている。サンプル板３Ｌ、３Ｒの形状は、本実施の形態では長方形状に形成したが、正方形や三角形などの多角形状や、円形や楕円形、星型やハート型など任意の形状のものを採用できる。また、ベース板２に対するサンプル板３Ｌ、３Ｒの固定は、ビス等の固定具を用いて行うことも可能である。
【００２３】
シート体４としては、織布、不織布、紙、フェルトなど、任意の構成の繊維シートを採用できる。繊維素材としては、熱可塑性合成繊維、レーヨン繊維等の化学繊維、コットン繊維やパルプ繊維等の天然繊維、或いはこれら繊維を任意に組み合わせた混合繊維を採用することができる。特に、不織布からなるシート体は、端部処理が不要で安価に製作できるので好ましい。シート体４の上縁部はベース板２の上部に接着剤などで固定され、左右の側縁部と下縁部はベース板２に固定しないように設けられ、シート体４は両サンプル板３Ｌ、３Ｒの前側に吊り下げ状態で設けられている。
【００２４】
この表面評価具１は、例えば表面処理剤の販売エリアに設置され、表面処理剤の購入希望者や表面処理剤の施工希望者が、図２に示すように、サンプル板３Ｌ、３Ｒに対してシート体４を指で押し付けた状態で、例えば指の上側のシート体４を撓ませながら指とともにシート体４を上下に移動させることで、サンプル板３Ｌ、３Ｒにシート体４を擦り付けて、表面処理剤をコーティングしたサンプル板３Ｌと、表面処理剤をコーティングしていないサンプル板３Ｒとに対するシート体４の滑り具合、具体的には表面処理剤をコーティングしたサンプル板３Ｌにおいてはシート体４が良好に滑るのに対して、表面処理剤をコーティングしていないサンプル板３Ｒにおいてはシート体４が滑り難くなることを指の感覚として体験でき、表面処理を施すことによるメリットを実体験できることになる。
【００２５】
次に、表面評価具１の構成を部分的に変更した他の実施の形態について説明する。尚、前記実施の形態と同一部材には同一符号を付してその詳細な説明を省略する。
（１）図３（ａ）に示す表面評価具１Ａのように、前記シート体４を左右に分割構成したシート体４Ａを用い、両サンプル板３Ｌ、３Ｒの前側にシート体４Ａをそれぞれ配置させることもできる。
【００２６】
（２）図３（ｂ）に示す表面評価具１Ｂのように、前記シート体４を上下方向に短尺に構成したシート体４Ｂを用い、両サンプル板３Ｌ、３Ｒの上側半分の前側にのみシート体４Ｂを配置し、下側半分にシート体４Ｂを配置しないように構成することもできる。この場合には、シート体をまくり挙げなくても、サンプル板３Ｌ、３Ｒの表面状態を目視にて観察することが可能となる。
【００２７】
（３）図３（ｃ）に示す表面評価具１Ｃのように、前記シート体４を左右に分割構成するとともに、上下方向に短尺に構成したシート体４Ｃを用い、両サンプル板３Ｌ、３Ｒの前側にシート体４Ｃをそれぞれ配置するとともに、両サンプル板３Ｌ、３Ｒの上側半分の前側にのみシート体４Ｃが配置し、下側半分にはシート体４Ｃを配置しないように構成することもできる。
【００２８】
（４）図３（ｄ）に示す表面評価具１Ｄのように、前記シート体４に代えて、ベース板２に紐５で吊り下げたシート体４Ｄを設けることもできる。
【００２９】
（５）図３（ｅ）に示す表面評価具１Ｅのように、前記シート体４に代えて、複数枚のシート体４Ｅをケーシング６に対して別個にセットして設けてもよい。シート体は、サンプル板３Ｌ、３Ｒに対して擦り付けることで徐々に劣化するが、この表面評価具１Ｅのようにベース板とは別個にシート体４Ｅを設けると、シート体が劣化してもベース板及びサンプル板を繰り返し使用することができる。
【００３０】
（６）図４（ａ）に示す表面評価具１Ｆのように、１枚のサンプル板３Ｆをベース板２に固定し、サンプル板３Ｆの左半分又は右半部に表面処理を施し、右半部又は左半部に表面処理を施さないように構成することもできる。また、このようなサンプル板３Ｆを前記表面評価具１Ａ〜１Ｅに適用して、図４（ｂ）〜（ｆ）に示す表面評価具１Ｇ〜１Ｋのように構成することも可能である。
【００３１】
尚、本実施例では、コーティング剤やワックスを施した場合とそうでない場合における表面性状の変化を評価可能となしたが、表面性状が変化する処理を施すための商品であれば、任意の商品に本発明を適用でき、例えば洗髪時に使用するリンスやコンディショナーを使用した場合における毛髪の表面性状の変化を評価するように構成することも可能で、この場合にはリンスやコンディショナーなどで処理した毛髪見本と処理していない毛髪見本を用意し、両毛髪見本にシート体を擦り付けてその表面性状を評価することができる。
【図面の簡単な説明】
【００３２】
【図１】表面評価具の斜視図
【図２】図１のII-II線断面図
【図３】（ａ）〜（ｅ）は、それぞれ他の構成の表面評価具の斜視図
【図４】（ａ）〜（ｆ）は、それぞれ他の構成の表面評価具の斜視図
【符号の説明】
【００３３】
１      表面評価具        ２      ベース板
３Ｌ    サンプル板        ３Ｒ    サンプル板
４      シート体          ５      紐
６      ケース
１Ａ    表面評価具        ４Ａ    シート体
１Ｂ    表面評価具        ４Ｂ    シート体
１Ｃ    表面評価具        ４Ｃ    シート体
１Ｄ    表面評価具        ４Ｄ    シート体
１Ｅ    表面評価具        ４Ｅ    シート体
１Ｆ    表面評価具        ３Ｆ    サンプル板
１Ｇ    表面評価具        １Ｈ    表面評価具
１Ｉ    表面評価具        １Ｊ    表面評価具
１Ｋ    表面評価具
【図１】
2006312354.tif 000003
【図２】
2006312354.tif 000004
【図３】
2006312354.tif 000005
【図４】
2006312354.tif 000006